(57)【要約】カッターの下部に設けられてカッターを保護するための安全板を備える草刈機用安全板の衝撃吸収装置において、前記安全板の上部に形成されてカッターを支持するための上部の安全板支持具と、前記上部の安全板支持具に結合されて安全板を支持するための下部の安全板支持具と、で構成され、前記の安全板の通孔の内周と、上部の安全板支持具または下部の安全板支持具の外周に形成されて互いに対応するようにする安全板の回転抑制手段と、前記下部の安全板支持具の回転を防止するためにハンドルに固定するための回転防止台と、で構成されたことを特徴とする草刈機用安全板の衝撃吸収装置を提供するためのものであって、本発明は、安全板の回転抑制手段が形成された安全板と、上部の安全板支持具または下部の安全板支持具により、カッターが異物とぶつかることによって発生する衝撃が安全板に伝えられると、瞬間的に回転抑制手段の凹溝が互いに対応する弾性突起を乗り越えて、安全板が衝撃が加えられる方向に回転するようになり、これによって衝撃を吸収すると共に、異物も飛び出るようになり、カッターや安全板が損傷されることを防止することができて非常に有用である。【選択図】図２
2015521051.tif 000002
【特許請求の範囲】
【請求項１】
カッターの下部に設けられてカッターを保護するための安全板を備える草刈機用安全板の衝撃吸収装置において、
前記安全板の上部に形成されてカッターを支持するための上部の安全板支持具と、前記上部の安全板支持具に結合されて安全板を支持するための下部の安全板支持具と、で構成され、前記の安全板の通孔の内周と、上部の安全板支持具または下部の安全板支持具の外周に形成されて互いに対応するようにする安全板の回転抑制手段と、前記下部の安全板支持具の回転を防止するためにハンドルに固定するための回転防止台と、を備える
ことを特徴とする草刈機用安全板の衝撃吸収装置。
【請求項２】
前記安全板の回転抑制手段は、安全板の中央通孔の内周に一定間隔離隔されるように形成した多数個の弾性突起と、上部の安全板支持具または下部の安全板支持具の外周の中の何れか一つに、前記安全板の弾性突起に対応するようにする多数個の凹溝で構成される
請求項１に記載の草刈機用安全板の衝撃吸収装置。
【請求項３】
前記安全板の回転抑制手段は、安全板の中央通孔の内周に形成された多数個の凹溝と、上部の安全板支持具または下部の安全板支持具の外周の中の何れか一つに、前記安全板の凹溝に対応するようにする多数個の弾性突起で構成される
請求項１に記載の草刈機用安全板の衝撃吸収装置。
【発明の詳細な説明】
【技術分野】
【０００１】
本発明は、草刈機用安全板の衝撃吸収装置に関し、詳しくは、草刈カッターを保護するために、草刈機の下部には安全板が設けられ、草刈カッターを使用する際に異物にぶつかるようになると、その衝撃がそのまま安全板に加えられるが、これによって安全板が毀損または破損されることを防止するための安全板の衝撃吸収装置に関する。
【背景技術】
【０００２】
一般的に、草刈機は、雑草を除去する際、または、墓参りの草取り作業の際に、多量の雑草を少ない力で除去するための装置であって、動力装置により草刈カッターを回転させることで短時間で大面積の雑草や蔓を刈り出すことができるものである。
【０００３】
しかし、カッターが高速回転する際に、石のような硬い異物にぶつかると、故障はもちろん、カッターの破片により作業者や周囲の人に怪我を負わせるなどの短所を有する。  
【０００４】
よって、カッターの下部に設けられてカッターを保護するための安全板を重ねることでカッターを保護しようするが、前記安全板が固定された場合は、カッターが異物にぶつかることによって発生する衝撃がそのまま安全板に伝えられるため、安全板が破損される。  
【０００５】
よって、前記安全板に加えられる衝撃を緩衝させて安全板の破損を防止するための草刈機用安全板の衝撃緩衝装置が、特許文献１のように開発されている。
【０００６】
前記草刈機用安全板の衝撃緩衝装置は、バネ部材２の両端には衝撃緩衝部材４が設けられ、前記衝撃緩衝部材４の下端にはリング（ｒｉｎｇ）状の結合部６が形成され、上端には掛け部３が形成され、前記結合部６と掛け部３との間には切開部が形成された構成を有する。
【先行技術文献】
【特許文献】
【０００７】
【特許文献１】韓国特許出願第１０−２０１０−００５６８００号
【発明の概要】
【発明が解決しようとする課題】
【０００８】
このように、草刈機用安全板は、弾性手段によって左右に少しずつ回転してから復元されるようにすることで、衝撃の吸収を可能にするか、それとも安全板を堅固に製作して、衝撃にも破損されないようにする構造の中の一つを有するが、上記の両方法は何れも安全板の回転を抑制する方法に過ぎないものであって、前者の場合は、安全板に加えられる衝撃が弾性手段の限界値を超えれば復元力が低下するため、むしろ衝撃緩衝の効果が落ちてしまい、後者の場合は、衝撃に耐えるような耐久性を持たせるためには、非常に厚い金属板を使用しなければならないので、重量が大きくなり、作業者の疲労度がさらに増加してしまう短所を有する。
【課題を解決するための手段】
【０００９】
上記のような目的を達成するために、本発明は、カッターの下部に設けられてカッターを保護するための安全板と、前記安全板の上部に形成されてカッターを支持するための上部の安全板支持具と、前記上部の安全板支持具に結合されて安全板を支持するための下部の安全板支持具と、で構成され、前記の安全板の通孔の内周と、上部の安全板支持具または下部の安全板支持具の外周に形成されて互いに対応するようにする安全板の回転抑制手段と、前記下部の安全板支持具の回転を防止するためにハンドルに固定するための回転防止台と、で構成されたことを特徴とする。
【００１０】
本発明において、前記安全板の回転抑制手段は、安全板の通孔の内周に一定間隔離隔されるように形成した多数個の弾性突起と、上部の安全板支持具または下部の安全板支持具の外周の中の何れか一つに、前記安全板の弾性突起に対応するようにする多数個の凹溝が形成されるように構成されることを特徴とする。
【００１１】
本発明において、前記安全板の回転抑制手段は、安全板の通孔の内周に形成される多数個の凹溝と、前記多数個の凹溝に対応するように、上部の安全板支持具または下部の安全板支持具外周の中の何れか一つに前記安全板の凹溝と対応するようにする多数個の弾性突起を形成することを特徴とする。
【発明の効果】
【００１２】
本発明は、安全板の回転抑制手段が形成された安全板と、上部の安全板支持具または下部の安全板支持具により、カッターが異物とぶつかることによって発生する衝撃が安全板に伝えられると、瞬間的に回転抑制手段の凹溝が互いに対応する弾性突起を乗り越えて、安全板が衝撃が加えられる方向に回転するようになり、これによって衝撃を吸収すると共に、異物も飛び出るようになり、カッターや安全板が損傷されることを防止することができる。
【００１３】
尚、本発明は、安全板の回転を可能にすると共に、安全板の回転は、衝撃量が加えられる程度、つまり弾性突起の弾性限界点を越えればこそ回転するものであるため、普通の衝撃くらいは吸収できるものであり、さらに、安全板の不要な回転を防止することができるため作業が容易であり、結局、草刈機の故障を最小化することができる非常に有用な発明である。
【図面の簡単な説明】
【００１４】
【図１】従来の草刈機における安全板の衝撃吸収装置の斜視図
【図２】本発明の安全板の衝撃吸収装置の分離斜視図
【図３】カッターを除いた図２の結合された斜視図
【図４】本発明において、安全板の回転防止手段を示す断面図
【図５】本発明の安全板の回転防止手段が草刈機に装着された状態の参考説明図
【発明を実施するための最良の形態】
【００１５】
本発明は、カッターの下部に設けられてカッターを保護するための安全板を備える草刈機用安全板の衝撃吸収装置において、前記安全板の上部に形成されてカッターを支持するための上部の安全板支持具と、前記上部の安全板支持具に結合されて安全板を支持するための下部の安全板支持具と、で構成され、前記の安全板の通孔の内周と、上部の安全板支持具または下部の安全板支持具の外周に形成されて互いに対応するようにする安全板の回転抑制手段と、前記下部の安全板支持具の回転を防止するためにハンドルに固定するための回転防止台と、で構成されたことを特徴とする草刈機用安全板の衝撃吸収装置を提供する。
【００１６】
以下、本発明の構成について、添付された図面により詳細に説明する。
【００１７】
本発明は、カッター１０の下部に設けられてカッター１０を保護するための安全板１２０と、前記安全板１２０の上部に形成されてカッター１０を支持するための上部の安全板支持具１１０と、前記上部の安全板支持具に結合されて安全板１２０を支持するための下部の安全板支持具１３０と、で構成され、前記の安全板１２０の通孔の内周と、上部の安全板支持具１１０または下部の安全板支持具１３０の外周に形成されて互いに対応するようにする安全板の回転抑制手段と、前記下部の安全板支持具１３０の回転を防止するためにハンドル２に固定するための回転防止台１４０と、で構成される。
【００１８】
前記安全板の回転抑制手段は、安全板１２０の中央通孔の内周に一定間隔離隔されるように形成した多数個の弾性突起１２１と、上部の安全板支持具１１０または下部の安全板支持具１３０の外周の中の何れか一つに、前記安全板１２０の弾性突起１２１に対応するようにする多数個の凹溝１１１が形成されるように構成されることが望ましい。
【００１９】
しかし、本発明は、前記安全板の回転抑制手段を形成することにおいて、安全板１２０の通孔の内周に多数個の凹溝１１１を形成し、上部の安全板支持具１１０の外周または下部の安全板支持具１３０の外周の中の何れか一つには、前記安全板１２０の凹溝１１１に対応するようにする多数個の弾性突起１２１を形成するように構成することもできる。
【００２０】
この際、本発明において最も望ましい構造は、上部の安全板支持具１１０に多数個の凹溝１１１を形成し、安全板１２０に多数個の弾性突起１２１を形成する構造である。
【００２１】
もちろん、前記安全板の回転抑制手段は、上記のような弾性突起１２１と凹溝１１１により構成されることもできるが、未図示ではあるが、摩擦力を用いる公知のベルトまたはディスク方式を用いて、ブレーキ手段を使用して安全板１２０の回転を抑制するように構成可能であることは言うまでもない。
【００２２】
また、本発明は、安全板１２０を必要としない草刈作業の際には、上部の安全板支持具１１０と下部の安全板支持具１３０とを分離し、前記安全板１２０は分離し、また上部の安全板支持具１１０と下部の安全板支持具１３０のみを結合して使用することもできる。
【００２３】
このように、上記の構成を有する本発明は、たとえ限定された実施例によって説明されているが、本発明は、これによって限定されず、本発明が属する技術分野で通常の知識を持った者により、本発明の技術思想と後述する特許請求の範囲の均等範囲内で多様な修正および変形が可能である。
【産業上の利用可能性】
【００２４】
本発明は、草刈機に安全板の衝撃吸収装置が設けられているため、草刈カッターを使用する際に、異物がぶつかっても安全板の衝撃吸収装置が衝撃を吸収して安全板を保護することで、草刈作業を安全に行うようでき、有用である。
【図１】
2015521051.tif 000003
【図２】
2015521051.tif 000004
【図３】
2015521051.tif 000005
【図４】
2015521051.tif 000006
【図５】
2015521051.tif 000007
【国際調査報告】
2015521051.tif 000008
2015521051.tif 000009
2015521051.tif 000010
2015521051.tif 000011